Podtech/llm-jp-corpus-v4-ja_patent huggingface dataset:
(57)【要約】      （修正有）【課題】津波発生時に貴重品・防災用品等を収納し、流出を防止できるようにした収納容器を提供する。【解決手段】収納容器１０は、合成樹脂を使用しブロー（中空）成形技術を使用することにより、防災用品・貴重品・飲料水・衣類・非常食等を多量に収納でき、密閉性・耐水圧性持った軽量なものとする。さらに、ロープ２０を介して固定具３０に固定することにより、津波により沖に流されることなく、上記の如く軽量なので海面に浮きあがる。津波後の発見を容易にするため、目立ち易い色を使用する。また回収を容易にするためにベルトを着けられる構造とする。【選択図】図１
0003176895.tif 000002
【実用新案登録請求の範囲】
【請求項１】
合成樹脂を使用しブロー（中空）成形技術を使用し、防災用品・貴重品・飲料水・衣類・非常食等を多量に収納でき、密閉性・耐水圧性持った軽量な収納容器。
【請求項２】
容器本体の一端と、他端を床等に設置した固定部材に取り付けた、一定の長さのロープを持った収納容器。
【請求項３】
津波後の発見を容易にするため、目立ち易い色を使用し、また回収を容易にするためにベルトを着けられる構造を持った収納容器。
【考案の詳細な説明】
【技術分野】
【０００１】本考案は、津波時の防災用品等の収納容器で、密閉性と耐水圧性を持った容器である。
【背景技術】
【０００２】従来、津波等の際に使用する収納容器は数多く販売されている。しかし従来の収納容器は、２０１１年３月の東日本大震災のような大津波が発生した場合、収納容器が飲み込まれ、水中をただようことにより収納品は水浸しになる。そのために容器が発見されても内容品は使用不能となり、救援体制が整うまで不安で過酷な日々を過ごす結果となる。
【考案の概要】
【考案が解決しようとする課題】
【考案の効果】
【０００３】本考案の収納容器は、ブロー（中空）成形にて製造し、容器の密閉性と耐水圧性があるため、収納品を津波から守る。
そのために、避難に専念することができる。また、収納品を使うことにより救援体制が整うまで自力で生き抜くことが可能である。【０００４】本考案の収納容器は、容器にロープをつなぎ、ロープの他端を家または敷地に固定部材を用いて固定することにより、津波が発生した際に容器がロープにより一定の距離以上離れることが無いようにした。
【図面の簡単な説明】
【０００５】
【図１】図１は、本考案の収納容器の構成を示す図である
【図２】図２は、本考案の収納容器の側面図である
【図３】図３は、本考案の収納容器の断面図である
【図４】図４は、本考案の収納容器の分解図である
【考案を実施するための形態】
【０００６】本考案の収納容器の実施の形態を、図示する実施例をもとに説明する。
【実施例】
【０００７】本考案の収納容器は、図に示す実施例の通りの構成である。
図１において、１０は収納容器、２０は容器１０に結ばれたロープで、その他端（容器１０と反対側の端部）は、家屋または敷地に設けられた固定具３０に固定されている【０００８】この図に示す収納容器には、防災用品・貴重品・飲料水・衣類・非常食等救援体制が整うまでの、自力で生き抜くために必要な品物を入れる。この状態で大きな津波が押し寄せた場合、収納容器は飲み込まれ、流されようとするが、ロープ２０を介して固定具３０に固定されているため遠くに流されることを阻止される。また、津波に飲み込まれ海中（水中）にただよう容器は、密閉性があるため浮力により海面に浮上する。【０００９】このように、図１に示す収納容器は、津波に巻き込まれた場合も、容器１０は固定具３０の近くにロープ２０の範囲内に留まり、しかも容器が水中であっても浮力により水面に浮いた状態を保つことになる。【００１０】ここで、収納容器１０は、後に述べるような構造のもので、密閉性のある構造であるしかも前記のように収納容器１０は、水面に位置することにより、また目立ち易い色を使用することにより発見が容易である。【００１１】次に本考案の収納容器の構造について図２乃至図４をもとに説明する。【００１２】図２は本考案にて用いられる容器の外観図（側面図）、図３は容器の断面図、図４は容器を構成する各部材を示す分解図である。【００１３】本考案で用いられる収納容器１０は、図３に示すように、防災用品・貴重品・飲料水・衣類・非常食等入れる容器本体１１と容器蓋１２をゴムパッキン１３を使用することで、密閉性と耐水圧を持った構造である。
【産業上の利用可能性】
【００１４】本考案は、津波等の際に貴重品・飲料水・非常食等を収納・保管しておくことで、避難者が体一つで何も持たずに避難することにより安全・安心・スピードを確保することができる。また、収納容器は、図３に示すように、容器本体１１、容器蓋１２が共に合成樹脂にて作られて、十分な強度を有し、しかも軽量であるため、津波後の回収も無理なく行える利点を有する。
【符号の説明】
【００１５】１０      収納容器
１１      収納容器本体
１２      収納容器蓋
１３      ゴムパッキン
２０      ロープ
３０      固定具
４０      ベルト
【図１】
0003176895.tif 000003
【図２】
0003176895.tif 000004
【図３】
0003176895.tif 000005
【図４】
0003176895.tif 000006
【手続補正書】
【提出日】平成24年4月23日(2012.4.23)
【手続補正１】
【補正対象書類名】実用新案登録請求の範囲
【補正対象項目名】全文
【補正方法】変更
【補正の内容】
【実用新案登録請求の範囲】
【請求項１】
合成樹脂を使用しブロー（中空）成形技術を使用した、防災用品・貴重品・飲料水・衣類・非常食等をを多量に収納でき、容器本体と容器蓋との間を、ゴムパッキンを使用することにより、密閉性・耐水圧性を持った軽量な収納容器。
【請求項２】
容器本体の一端と、他端を家の土台、または敷地内の固定部材等に固定出来る、一定の長さのロープを持つことにより、容器が一定の距離以上離れることがないことを特徴とする請求項１記載の収納容器。
【請求項３】
津波後の発見を容易にするため、目立ち易い色を使用し、また回収を容易にするためにベルトを着けられる構造を持つことを、特徴とする請求項１記載の収納容器。
(57)【要約】      （修正有）【課題】不織布の形状を立体的に変形させてこれを組み合わせる、あるいは、これ等に着色を行うことで、様々な形状とし、多様なデザイン性や付加価値を付けた不織布のコサージュを提供する。【解決手段】不織布１００を任意の大きさにカットし、ヒーターなどを用いてそれに熱を加える事で、花びらのような曲線を持った形状２００に変形させる。これに塗料などを用いて塗装を行う事で、様々な大きさや、いろいろな色をつけられた花びら形状の不織布が出来上る。これらをホットボンドなどの接着剤を用いて組み合わせる事により従来のコサージュとは異なるデザインの不職布のコサージュを制作する。【選択図】図１
0003176894.tif 000002
【実用新案登録請求の範囲】
【請求項１】
不織布を任意の大きさにカットし、ヒーターなどを用いてそれに熱を加える事で、花びらのような曲線を持った形状に変形させる。
これに塗料などを用いて塗装を行う事で、様々な大きさや、いろいろな色をつけられた花びら形状の不織布が出来上がる。これらをホットボンドなどの接着剤を用いて組み合わせる事により制作した不織布のコサージュ
【考案の詳細な説明】
【技術分野】
【０００１】本考案は、不織布のコサージュに係り、更に詳しくは、不織布のコサージュの製法に関する。
【背景技術】
【０００２】従来のコサージュは、布や紙を単純に花びらの形に切り取り、組み合わせたものが一般的であった。
【考案の概要】
【考案が解決しようとする課題】
【０００３】  従来のコサージュは、花びらの形に切り取った布などを、組み合わせて製造する事が常識となっており、デザイン上の制約となっていた。【０００４】本考案は、上記の事情に鑑みてなされたものであり、カットした不織布にヒーターなどで熱を加える事で、通常の不織布にはない、花びらのような丸みを帯びさせることが可能となる。これに塗料などを用いて塗装を行う事で、様々な大きさや、いろいろな色をつけられた花びら形状の不織布が出来上る。これらをホットボンドなどの接着剤を用いて組み合わせる事により従来のコサージュとは異なるデザインのコサージュが制作可能である。
【課題を解決するための手段】
【０００５】本考案における不織布のコサージュは、不織布を任意の大きさにカットし、ヒーターなどを用いてそれに熱を加える事で、花びらのような曲線を持った形状に変形させる。
これに塗料などを用いて塗装を行う事で、様々な大きさや、いろいろな色をつけられた花びら形状の不織布が出来上る。これらをホットボンドなどの接着剤を用いて組み合わせる事により従来のコサージュとは異なるデザインのコサージュが制作可能である。【０００６】このような構成によって、不織布の形状を変形させ、着色を行うことで、様々な形状の不織布のコサージュを制作することが可能となり、多様なデザイン性や付加価値を付ける事が可能である。
【考案の効果】
【０００７】不織布を任意の大きさにカットし、ヒーターなどを用いてそれに熱を加える事で、花びらのような曲線を持った形状に変形させる。
これに塗料などを用いて塗装を行う事で、様々な大きさや、いろいろな色をつけられた花びら形状の不織布が出来上る。これらをホットボンドなどの接着剤を用いて組み合わせる事により従来のコサージュとは異なるデザインのコサージュが制作可能である。
【図面の簡単な説明】
【０００８】
【図１】  本考案の実施の形態による不織布のコサージュの一構成例を示した外観図である。
【考案を実施するための形態】
【０００９】不織布を任意の大きさにカットし、ヒーターなどを用いてそれに熱を加える事で、花びらのような曲線を持った形状に変形させる。
これに塗料などを用いて塗装を行う事で、様々な大きさや、いろいろな色をつけられた花びら形状の不織布が出来上る。これらをホットボンドなどの接着剤を用いて組み合わせる。
【００１０】図１は本考案の実施の形態による、不織布のコサージュの一構成例を示した外観図である。不織布のコサージュ３００は、不織布１００な大きさにカットし、ヒーターなどを用いて熱を加える事で、熱を加えた不職布２００のような、花びらのような形状に変形する。不職布のコサージュ３００はこの熱を加えた不職布を塗装後、熱を加えた不職布２００をホットボンドなどの接着剤を用いて、接着させて構成されている。
【符号の説明】
【００１２】１００  不織布
２００  熱を加えた不職布
３００  不織布のコサージュ
【図１】
0003176894.tif 000003
0003176894.tif 000004
【手続補正書】
【提出日】平成24年5月1日(2012.5.1)
【手続補正１】
【補正対象書類名】図面
【補正対象項目名】全図
【補正方法】変更
【補正の内容】
【図１】
0003176894.tif 000005
(57)【要約】      （修正有）【課題】付属部品を貼り付けることなく、一枚の板紙をカットして組み立てることにより、容器の底面を三角形状とし、先端に向けて漸次円形状となるように表すことを可能とする包装用容器を提供する。【解決手段】一枚の板紙からなり、罫線部分を折り曲げることにより組み立てられる。三角柱又は三角錐台をベースとし、その側面の各面それぞれに、底辺から少し上の部分から上辺にかけて複数の罫線を施し、組み立てた時に底面は三角形で天面は円形に近い多角形となるようツメと差込口を設けて板紙をカットし、罫線に折り目を入れ、ツメを差し込んで組み立てる。【選択図】図１
0003176900.tif 000002
【実用新案登録請求の範囲】
【請求項１】
一枚の板紙からなる、罫線部分を折り曲げることにより組み立てられる筒状の包装用容器において、三角柱又は三角錐台をベースに、その側面のそれぞれの面に複数の罫線を施すことで、組み立てた時に、底面は三角形状とし、先端に向けて漸次円形状となるように表した紙箱。
【考案の詳細な説明】
【技術分野】
【０００１】  本考案はカットした一枚の板紙からなる、罫線部分を折り曲げることにより組み立てられた筒状の包装用箱に関する。
【背景技術】
【０００２】  従来の包装用容器において、容器の底面を三角形状とし、先端に向けて漸次円形状となるように表す場合、鋳型など型を用いて、例えば、ガラス・金属・プラスチック・合成樹脂のように成型可能な材質を使用するが、これら材質を加工するためには、鋳型などの高価な型と相当規模の生産設備を必要とし、容器の保管スペースも必要なことから、コスト面から小ロットの対応は難しく、また、成型後に中身商品の出し入れ口を変更するなどの形状変更ができないため、中に入れる商品の選択に制約が生ずる。材質に紙を使用した場合、抜き型が鋳型などに比べると安価であり、必要な時に組み立てられるなどの利点から、小ロットへの対応が可能である。しかしながら、板紙を加工する場合、板紙の表面に印刷を施して型抜きし、罫線部分を折って組み立てるが、容器の形状は、底面から上部にかけて径が小さくなる場合も含め、例えば、円柱・円錐台・三角錐台・角柱のように底面から上部にかけての形状が同一の筒状となる。紙箱を使って目的の形状を表そうとすると、板紙の表面に印刷を施して円柱に組み立て、印刷デザインによって平面的に表すか、若しくは、筒の下部に付属部品を貼り付けて立体的に表すこととなる。
【考案の概要】
【考案が解決しようとする課題】
【０００３】  紙からなる筒状の包装用容器において、付属部品を貼り付けることなく、一枚の板紙をカットして組み立てることにより、容器の底面を三角形状とし、先端に向けて漸次円形状となるように表すことを可能とする。
【課題を解決するための手段】
【０００４】  三角柱又は三角錐台をベースとし、側面の各面それぞれに底辺から少し上の部分から上辺にかけて複数の罫線を施し、組み立てた時に、底面は三角形で天面は多角形（例えば、罫線を各面に３本追加した場合は１２角形となる）となるようツメと差込口を設けて板紙をカットし、罫線に折り目を入れ、ツメを差し込んで組み立てる。
【考案の効果】
【０００５】  これにより、カットした一枚の板紙から、底面の形状は三角形状、上部になるにつれ漸次円形状に近い形状の紙箱となるため、小ロットの対応が可能となる。又、カットした一枚の板紙を組み立てた箱であることから、組み立てる順序を変えるだけで、底面・側面・天面いずれの部分からでも中身商品を入れることが可能となり、中に入れる商品の選択肢が広がる。
【図面の簡単な説明】
【０００６】
【図１】本考案の箱の形状を示す展開図
【写真の簡単な説明】
【０００７】
【写真１】
組み立てた時の正面からの形状を示す図
【写真２】
組み立てた時の背面からの形状を示す図
【写真３】
組み立てた時の上面からの形状を示す図
【写真４】
組み立てた時の底面からの形状を示す図
【写真５】
組み立てた時の右側面からの形状を示す図
【写真６】
組み立てた時の左側面からの形状を示す図
【写真７】
組み立てた時の斜めから見た時の形状を示す図
【図１】
0003176900.tif 000003
【手続補正書】
【提出日】平成24年4月16日(2012.4.16)
【手続補正１】
【補正対象書類名】実用新案登録請求の範囲
【補正対象項目名】全文
【補正方法】変更
【補正の内容】
【実用新案登録請求の範囲】
【請求項１】
一枚の板紙からなる、罫線部分を折り曲げることにより組み立てられる筒状の包装用容器において、三角柱又は三角錐台をベースに、その側面のそれぞれの面に底辺から少し上の部分から上辺にかけて複数の罫線を施すことで、組み立てた時に、底面は三角形状とし、先端に向けて漸次円形状となるように表した紙箱。
(57)【要約】      （修正有）【課題】折り畳んでコンパクトに収納できる弁当箱等として使用する容器を提供する。【解決手段】シリコンの柔軟性を生かした部位と、プラスチック板をシリコン素材で両面から挟み込み、堅固な板状にした部位の２種類の素材で容器を一体化し形成させる。４方の角は折り曲げる個所として柔軟な素材を、上下左右からの圧に強くて堅固にする箇所には板状にしたものを使用する。【選択図】図１
0003176897.tif 000002
【実用新案登録請求の範囲】
【請求項１】
シリコン素材を用いて４方向から折りたたんでコンパクトにするために、折り曲げる部位にはシリコンの柔軟性を生かした素材と、プラスチック板などをシリコン素材で両面から挟み込む事で容器が重圧に耐え、堅固な板状の形状にした２種の異なる素材を組み合わせて成型された容器である。
【請求項２】
容器には上蓋と中蓋を設け、中蓋の上には保冷剤、抗菌紙ナプキン、箸等々乗せて収納出来るポケット部を有し、本体、中蓋、上蓋を一体化させて、結束ベルト等で押さえて使用出来る容器である。
【請求項３】
収納部には２枚の長方形をなし、弾力性並びに湾曲性もある素材で形成された取りつけ、取り外しも自由な仕切り板を有する容器である。
【考案の詳細な説明】
【考案の詳細な説明】
【技術分野】
【０００１】  本考案は弁当や惣菜など種々食品の持ち運びに利便性を持ち、空になった後に折り曲げてコンパクトにする事でバックや食器棚に収納しても嵩張らずに便利に使用できる容器に関するものである。
【背景技術】
【０００２】  従来シリコン素材を使用した水切り、ザル、コップ等々ちょうちん状に重ねて折り込む形状のシリコン製キッチングッツが大人気で市販されている。
【考案が解決しようとする課題】
【０００３】  シリコンは原材料がゴムであるために、素材が柔らかいと言う特長があり、折りたたむためにはちょうちん状に重ねて折り込む形状は可能であったが、上下左右から圧がかかる容器などの使用目的には適さないと言う問題があった。
【問題を解決するための手段】
【０００４】  上記素材の柔軟性を圧に強い素材としても使用する手段として、折り曲げる部位にはシリコンの柔軟性素材の特長を生かして単体で、また圧に耐える堅固さを必要とする部位にはプラスチックなど高温に対応する素材を板形状にしたものをシリコン素材に内臓し一体化し成型した事で、従来にない４方向から折りたたんで使用できる容器として考案した。
【考案を実施するための形態】
【０００５】  シリコン素材を用いて使用するキッチングッツなど多種多様な商品が販売されているが、折りたたんでコンパクトにして収納する機能はちょうちん状に重ね折りにした形状が主流であり、当考案のように４方向から折りたためる形状をしたのは既存品では紙製品の菓子箱などがあり、また簡易ランチボックスとして薄手の柔らかいシリコン板に折り線を付けて紙箱状に折りたたんで使用する物もある。しかしそれらは重圧に耐える要素もなく、つぶれやすい等の欠点もあり即席用として使用可能であるが、特に弁当箱や持ち運んで常時使用する目的としての容器には適してはいない。シリコンとプラスチック素材を合体させ、強度を補強させた部位と、シリコンの柔軟性をそのまま使用した部位の２重の構造を持たせ、これまでにない仕組みを取り入れたシリコンでありながら堅固で、４方から折り曲げてコンパクトにしても使用出来る新発想の容器とした。
【０００６】  また弁当箱などに使用するための容器として２枚の長方形をした板を環状帯で中央部を合体させて自由に折り曲げて使用できる仕切り板を設け、上下左右からの重圧と強度を補強する役目も持たせた。
【実施例】  以下図面に従って実施例を説明する。
【図面の簡単な説明】
【図１】折りたためるシリコン本体容器と仕切り板の全体図である。
【図２】シリコン本体に上蓋、中蓋をかぶせ結束バンドを止めた容器の全体図である。
【図３】中蓋（ロ）の上に収納ポケット乗せた図である。
【図４】シリコン容器本体を折りたたんだ図である。
【図５】折りたたんだシリコン容器本体（図４）を（イ）の上蓋に押し込め、中蓋（ロ）をかぶせて結束バンド（ト）をかけた折りたたみ完成図である。
【図６】仕切り板全体図である。
【符号の説明】（イ）  上蓋
（ロ）  中蓋
（ハ）  折りたためるシリコン本体。シリコン素材でプラスチックを挟み込み板状にし使        用した図。
（ニ）  ゼブラ部位はシリコンの折り曲げる部位。
（ホ）  保冷剤などの収納ポケット部。
（ヘ）  仕切り板内臓図
（ト）  結束ベルト
（チ）  環状帯
【図１】
0003176897.tif 000003
【図２】
0003176897.tif 000004
【図３】
0003176897.tif 000005
【図４】
0003176897.tif 000006
【図５】
0003176897.tif 000007
【図６】
0003176897.tif 000008
【手続補正書】
【提出日】平成24年4月18日(2012.4.18)
【手続補正１】
【補正対象書類名】実用新案登録請求の範囲
【補正対象項目名】全文
【補正方法】変更
【補正の内容】
【実用新案登録請求の範囲】
【請求項１】
シリコン素材を用いて４方向から折りたたんでコンパクトにするために、折り曲げる部位にはシリコンの柔軟性を生かした素材と、プラスチック板などをシリコン素材で両面から挟み込む事で容器が重圧に耐え、堅固な板状の形状にした２種の異なる素材を組み合わせて成型された容器。
【請求項２】
容器には上蓋と中蓋を設け、中蓋の上には保冷剤、抗菌ナプキン、箸等々を乗せて収納出来るポケット部を有し、本体、中蓋、上蓋を一体化させて、結束ベルトなどで押さえて使用出来る事を特徴とする請求項１記載の容器。
【請求項３】
収納部には２枚の長方形をなし、弾力性並びに湾曲性もある素材で形成された取り付け、取り外しも自由な仕切り板を有する事を特徴とする請求項１掲載の容器。
(57)【要約】      （修正有）【課題】クロス壁紙にキズを残す事無く着け外しが出来、取り付け場所の移動も容易なコーナー棚を提供する。【解決手段】二枚の係止部材１を用い棚を壁に係止させる方法として、係止部材１の壁面との接触部分は鋭利な突起物６を必要最大数に備え滑り止め効果を最大限に発揮させ棚を係止させる。二枚の係止部材１はバネなどによる反発材３を利用し常時壁側に押圧力をかける事により棚を壁に係止させる事ができるよう考案した。【選択図】図１
0003176889.tif 000002
【実用新案登録請求の範囲】
【請求項１】
本考案のコーナー棚は、二枚の係止部材とそれを繋ぐ一枚の支持部材からなり、係止部材の壁面との接触部には必要最大数の鋭利な突起を備え、壁面を数多くの突起で圧着することで壁に対するキズを最小限にし、又有効な滑り止め効果を発揮させ棚を係止させることを特徴とするコーナー棚である。
又、棚・係止部材・支持部材の材質については、金属・プラスチック・木など状況によって適せん選択すれば良い。
【請求項２】
本考案では、二枚の係止部材に対する押圧力は、支持部材の両端部に可動固定を設けそこに係止部材を各々繋ぎ、支持部材から二つのバネなどの反発材により壁側に横圧力をかけ棚を係止する方法を取っているが、これに限定するものではない。
例えば二枚の係止部材の端部を可動固定し一つのバネなどの反発材により、扇形に開放させ、棚を係止する事も考えられる。
又棚板本体の側面を利用し二枚の係止部材をバネなどの反発材を用いて壁面に直角に押圧力をかけ棚を係止させる方法もある。
押圧力の方法は幅広く検討出来るが、本考案で最も重要な考案は係止部材に必要最大数の鋭利な突起を設け滑り止め効果をあげ、棚を係止させる事を特徴としたコーナー棚である。
【考案の詳細な説明】
【技術分野】
【００１】本考案は、壁面が交差するコーナー部で物品を保持するコーナー棚に関するものである。
【背景技術】
【００２】室内等のコーナー部にコーナー棚を設置して、コーナー空間を好みの設置物で飾り、コーナー部の有効利用が考えられる。
しかしコーナー部に棚を設置する場合、従来の場合は壁面に対して棚を取り付ける為の加工処理を必要とした。【００３】そこでこの様な手間を省く為、種々のタイプのコーナー棚が提案されている。【００４】例えば簡易構造、コスト安価、コーナー壁面に対して直角の方向に押圧力を掛けることで、強大な取り付け保持力を付与するコーナー棚が提案されている。（特許文献１）【００５】また従来技術として、コーナーに棚を形成する略直角三角形の部材に対して、フランジ部を設けてフランジ部をビス等により壁面に固定しこのフランジを利用しコーナー壁面に取り付け部を圧接した状態でコーナー棚を取り付けている（特許文献２）
【先行技術文献】
【特許文献】
【特許文献１】特許公開２０１１−１４７６３５号広報
【特許文献２】特許公開２００８−０４８７７８号広報
【考案の概要】
【考案が解決しようとする課題】
【００６】しかしながら（特許文献１）記載のコーナー棚では、棚の機能としては構造的に複雑であり棚の利用度からすれば、はたして安価に出来るか疑問である。
又棚の取り外し時、突起物のキズが残ることも心配される。【００７】また（特許文献２）記載のコーナー棚では、コスト的には安価に出来るかもしれませんが、棚を取り外した時にビス孔がキズとして残るため、後に補修する必要性も出てくる為、不合理である。【００８】本考案の主要部材は、二枚の係止部材と一枚の支持部材に伴うバネなどによる反発材と棚板だけで構成されている為、構造的には軽い物を載せる棚として考案されているがコスト安価に出来、取り付け取り外しが容易に出来壁面のキズはほとんど残す事はなく最小限に抑える事が出来るコーナー棚である。【００９】本考案は、クロス壁紙には最良の効果を発揮するが、土壁や木の壁についてはキズ等が残る可能性がある為、主にクロス壁紙にての使用が望ましい。
【課題を解決するための手段】
【００１０】本考案は鋭利な突起を必要最大数備えた二枚の係止部材と一枚の支持部材から構成され、係止部材はバネなどによる反発材により押圧力をかけ突起による摩擦力により棚を係止させる。【００１１】しかし上記方法に限定するものでない、例えば二枚の係止部材の端部を可動固定し一つのバネなどによる反発材により扇形に開放させ棚を固定する方法や、二枚の係止部材を壁に対して直角方向に押圧力をかけ棚を係止する方法も考えられる。
いずれの方法をとるにせよ、本考案で最も重要な考案は必要最大数の突起により滑り止め効果をあげ棚を係止させる事である。
【考案の効果】
【００１２】本考案によるコーナー棚いよれば、マンションなどの借家に於いてもクロス壁紙にキズを残す事無く着け外しが出来るため、後の補修費用の発生を心配する事なく棚を設置出来る。
又本考案の棚を利用し装飾用の花を飾ったり、日常生活に使用するちょっとした小物でも棚を使って置く事も出来、取り付け場所の移動も簡単に出来る為、色々な場所での利用が考えられる。
【考案を実施するための形態】
【００１３】以下、本考案を実施するための形態について、図面に基づき具体的に説明する。
【図面の簡単な説明】
【００１４】係止部材１を各々支持部材４に対して、４５°になるよう絞り込んだ後、壁面に密着させ力を解放させる。
最後に係止部材１の水平確認後、棚板５をセットし完成となる。【００１５】
【符号の説明】
【００１６】１・・・・・・・・係止部材
２・・・・・・・・可動固定部材
３・・・・・・・・反発材
４・・・・・・・・支持部材
５・・・・・・・・棚板
６・・・・・・・・鋭利な突起
0003176889.tif 000003
【手続補正書】
【提出日】平成24年4月23日(2012.4.23)
【手続補正１】
【補正対象書類名】実用新案登録請求の範囲
【補正対象項目名】全文
【補正方法】変更
【補正の内容】
【実用新案登録請求の範囲】
【請求項１】
コーナー棚において、二枚の係止部材とそれを繋ぐ一枚の支持部材からなり、係止部材の壁面との接触部には複数の鋭利な突起を備え、壁面を数多くの突起で圧着することで壁に対するキズを最小限にし、又有効な滑り止め効果を発揮させ、棚を係止させることを特徴とするコーナー棚。
【請求項２】
コーナー棚において、二枚の係止部材に対する押圧力は、（１）支持部材の両端部に可動固定を設けそこに係止部材を各々繋ぎ、支持部材から二つのバネなどの反発材により壁側に押圧力をかけ棚を係止する方法、（２）二枚の係止部材の端部を可動固定し一つのバネなどの反発材により扇形に開方させ棚を係止する方法、又は、（３）棚板本体の側面を利用し二枚の係止部材をバネなどの反発材を用いて壁面に直角に押圧力をかけ棚を係止する方法によって加える事を特徴とする請求項１記載のコーナー棚。
【手続補正３】
【補正対象書類名】明細書
【補正対象項目名】００１４
【補正方法】変更
【補正の内容】
【００１４】
【図１】平面図
【図２】立面図
【図３】側面図
【図４】断面詳細図
【手続補正４】
【補正対象書類名】図面
【補正対象項目名】全図
【補正方法】変更
【補正の内容】
【図１】
0003176889.tif 000004
【図２】
0003176889.tif 000005
【図３】
0003176889.tif 000006
【図４】
0003176889.tif 000007
(57)【要約】      （修正有）【課題】パンツの各サイズに対応するため、パンツのゴムが伸びた状態を保つパンツのゴム伸ばし器を提供する。【解決手段】本体プレート１に、先端がゴムバンド４に突き刺さる形状の伸ばし器２の一片を片方に突き刺し、ゴムバンド４を引き伸ばし、反対の先端に突き刺すと、ゴムバンド４の縮む力ににより固定される。【選択図】図４
0003176882.tif 000002
【実用新案登録請求の範囲】
【請求項１】
パンツのゴムバンドを伸ばし固定できる器である。
【請求項２】
パンツのゴムバンドに突き刺し、伸ばしたゴムバンドを反対の突き刺し部分に刺すと自動的に固定される器である。
【考案の詳細な説明】
【技術分野】
【０００１】  この考案はパンツ等のゴムバンドを引き伸ばし固定出来る器である
【背景技術】
【０００２】  従来のパンツは各メーカー各サイズで販売しております
【先行技術文献】
【特許文献】
【０００３】
【特許文献１】
【特許文献２】
【非特許文献】
【０００４】
【非特許文献１】
【非特許文献２】
【考案の概要】
しかしながら、以上の技術によれば、サイズが大まかなため、自分に合ったサイズがわかりません。小柄な人はＭ、大柄な人はＬＬと分けているため、小柄でおなかの出ている人は、ゴムがきつくてＭがはけない状態です、ＬＬを履いた場合、長さ等ダブダブです。またその逆もあり、なかなか自分の体に合いません。
【考案が解決しようとする課題】
【０００５】  そこで、この考案は、パンツのゴムが伸びた状態を保つ器を提供することを課題とする。
【課題を解決するための手段】
【０００６】  以上の課題を解決するために、本考案は、パンツのゴムバンドの寸法を自由に伸ばし固定できる器である。
【考案の効果】
【０００７】  考案によれば、パンツのゴムを簡単に伸ばし寸法調整が出来ます。又伸ばし器をセットし、洗濯又はアイロンでゴムを劣化させれば自分に合った寸法のパンツが出来ます。
【図面の簡単な説明】
【０００８】
【図１】この考案の一実施形態を示す平面図である。
【図２】この考案の一実施形態を示す外側立面図である。
【図３】この考案の一実施形態を示す内側立面図である。
【図４】この考案の一実施形態を示す断面拡大図である。
【考案を実施するための形態】
【０００９】  この考案の一実施形態を、図１に示す。本体プレート１はプラスチック等である。ゴムバンドに突き刺さる部分がついた２は金属等である。
【実施例】
【００１０】  この実施例では、プレートをプラスチック等で弾力性のあるもの。ゴムバンドに突き刺さる金物等は、適度の硬度があるもの。
【産業上の利用可能性】
【００１１】
【符号の説明】
【００１２】  １  伸ばし器本体プレート            ２  突き刺さる金物
３  先端（突き刺さる部分）          ４  ゴムバンド
【図１】
0003176882.tif 000003
【図２】
0003176882.tif 000004
【図３】
0003176882.tif 000005
【図４】
0003176882.tif 000006
【手続補正書】
【提出日】平成24年4月11日(2012.4.11)
【手続補正１】
【補正対象書類名】実用新案登録請求の範囲
【補正対象項目名】全文
【補正方法】変更
【補正の内容】
【実用新案登録請求の範囲】
【請求項１】
プラスチック板と針金を組み合わせたパンツのゴム伸ばし器
【請求項２】
プラスチック板と曲げ加工した針金を組み合わせたゴム伸ばし器でプラスチック板に針金の穴をあけ針金の曲げた部分をセットしたときプラスチック板が曲がるように針金を曲げ長さを決めたパンツのゴム伸ばし器
(57)【要約】      （修正有）【課題】ハンディスキャナ本体で読み取った画像データを、接続ケーブルを利用せずに無線によりパソコン等に送信することにより、接続ケーブルを持ち運ぶ必要を無くしたハンディスキャナ装置を提供する。【解決手段】ハンディスキャナ本体１０の底面にローラーとイメージセンサーを備え、ローラーの回転量から原稿に接する移動距離を検出し、２次元画像を読み取る事を可能にしたハンディスキャナ装置において、読み取った画像をＷｉＦｉの無線手段を介して、パーソナルコンピュータ、タブレット、スマートフォンへ送信する。さらには、ハンディスキャナ本体に組込まれた取り外し可能なメモリ装置に保存しても良い。【選択図】図１
0003176888.tif 000002
【実用新案登録請求の範囲】
【請求項１】
２次元画像を手動操作によって読み取るハンディスキャナ装置でおいて、読み取った画像をＷｉＦｉの無線手段を介して、パーソナルコンピュータ（ＰＣ）、タブレット、スマートフォンへ送受信する事を特徴とするハンディスキャナ装置。
【請求項２】
請求項１記載のハンディスキャナにおいて、読み取った画像をＪＰＥＧ方式もしくはＰＤＦ方式でハンディスキャナ本体添え付けのｍｉｃｒｏＳＤカードに保存する事を特徴とするハンディスキャナ。
【考案の詳細な説明】
【技術分野】
【０００１】この考案は、ハンディスキャナ本体で読み取った画像データを送信するための接続ケーブルを利用する事なく、ＷｉＦｉの無線手段を利用する事により、画像データを送信する事が出来るハンディスキャナ装置である。
【背景技術】
【０００２】ハンディスキャナで読み取った画像データは、ハンディスキャナ本体から接続ケーブルを利用して、ＰＣ、タブレット、スマートフォンに送信する。通常、上記接続ケーブルはハンディスキャナ本体と一緒に持ち運ぶ必要があり、接続ケーブルが邪魔になる場合がある。接続する時に時間がかかり不便である。
【特許文献】
【０００３】
【特許文献１】特許公表２００７−５２７２５８
【考案が解決しようとする課題】
【０００４】ハンディスキャナで読み取った画像データ送信時に接続ケーブルを利用しないようにする。
【０００５】この考案は、こうした課題を解決するもので、接続ケーブルを利用せずに、ハンディスキャナ本体のみで読み取った画像データを送信できる事を目的とするものである。
【課題を解決するための手段】
【０００６】上記の課題を解決するため、ＷｉＦｉの無線手段を利用する事により読み取った画像データ送信を可能とする。
【考案の効果】
【０００７】この考案は以上のように構成され、このハンディスキャナを用いることで、接続ケーブルを利用する事なく、効率よく使用する事が出来る。
【図面の簡単な説明】
【０００８】
【図１】本考案のハンディスキャナを説明するための図
【図２】本考案の巻取り式マウスの平面図と正面図
【符号の説明】１０  ハンディスキャナ本体
１１  電源スイッチ
１２  ｍｉｃｒｏＳＤカード収納スロット
１３  ＵＳＢケーブル差込口
１４  液晶画面
【考案を実施するための形態】
【０００９】以下に、この考案の実施の形態を、図面に基づいて説明する。
この考案のハンディスキャナは、図１に示すように構成され、印刷された２次元画像を読み取るために電源スイッチ１１を操作する。読み取った画像はｍｉｃｒｏＳＤカード収納スロット１２に差込んだｍｉｃｒｏＳＤカードに保存される。さらに、可視にて表示を行う表示手段を有し、読み取りエラーが発生した時などは、オペレータに液晶画面１４にて表示し通知するようになっている。
【図１】
0003176888.tif 000003
【図２】
0003176888.tif 000004
【手続補正書】
【提出日】平成24年4月16日(2012.4.16)
【手続補正１】
【補正対象書類名】実用新案登録請求の範囲
【補正対象項目名】全文
【補正方法】変更
【補正の内容】
【実用新案登録請求の範囲】
【請求項１】
ハンディスキャナ本体の底面にローラーとイメージセンサーを備え、ローラーの回転量から原稿に接する移動距離を検出し、２次元画像を読み取る事を可能にしたハンディスキャナ装置において、読み取った画像をＷｉＦｉの無線手段を介して、パーソナルコンピュータ（ＰＣ）、タブレット、スマートフォンへ送受信する事を特徴とするハンディスキャナ装置。
(57)【要約】      （修正有）【課題】長財布に納まるカード型ボールペンを提供する。【解決手段】ボールペンを芯４とほぼ同じ厚さ（約３ｍｍ）のカード型（タテ：約５４ｍｍ×ヨコ：約８５ｍｍ）にする事により、長財布のカード収納ポケットに納める事を可能とした。ボールペンの芯４はカード型である本体の対角線に近い、使用する際に筆記対象と芯が６０度程度になるような角度に配置した。また、収納時には、ペン先５が外部に触れさせないようにするカバー１を本体と一体型の可動式にし、使用時にはボールペンを持つ手の邪魔にならない位置に移動する仕様とした。【選択図】図１
0003176887.tif 000002
【実用新案登録請求の範囲】
【請求項１】
財布のカード収納ポケットに収納可能なカード型ボールペン。
【請求項２】
収納時はペン先を外部に触れさせず、使用時はそのカバー部分が邪魔にならない位置に移動する。
【考案の詳細な説明】
【技術分野】
【０００１】
本考案は、財布のカード収納ポケットに収納できる、カード型ボールペンに関するものである。
【背景技術】
【０００２】
外出している際、ふとメモを取りたいと思った場合に、筆記具が手元に無く、外出する際はいつも携帯している財布に納まる筆記具を探していた。
【考案の概要】
【考案が解決しようとする課題】
【０００３】
財布に筆記具を収納しようとした場合、二つ折りの財布ならば手帳用のボールペンで事足りるところであるが、長財布の場合それは難しい。その欠点を解決しようとするものである。
【課題を解決するための手段】
【０００４】
本考案は、ボールペンを芯とほぼ同じ厚さのカード型にする事により、カード収納ポケットに納める事を可能にし、問題点を解決している。
【考案の効果】
【０００５】
筆記具をいつも持ち歩く財布と供に携帯することが出来る。
【図面の簡単な説明】
【０００６】
【図１】収納時図
【図２】使用時図
【考案を実施するための形態】
【０００７】
カード収納ポケットに納めるため、サイズは一般的なカードに近い５４ｍｍ×８５ｍｍとし、厚みは出来るだけ薄くするためボールペンの芯の太さに近い３ｍｍとする。又、収納する際、ペン先が外部に触れないようカバーする形状とし、使用時にそのカバーが、ペンを持つ手の邪魔にならないようにしている。
【実施例】
【０００８】
以下、添付図面に従って一実施例を説明する。
【符号の説明】
【０００９】
1  カバー
2  接続部
3  本体
4  芯
5  ペン先
【図１】
0003176887.tif 000003
【図２】
0003176887.tif 000004
【手続補正書】
【提出日】平成24年5月4日(2012.5.4)
【手続補正１】
【補正対象書類名】実用新案登録請求の範囲
【補正対象項目名】全文
【補正方法】変更
【補正の内容】
【実用新案登録請求の範囲】
【請求項１】
財布のカード収納ポケットに収納可能なカード型ボールペン。
【請求項２】
収納時はペン先を外部に触れさせず、使用時は邪魔にならない位置に移動するカバー部分を特徴とする請求項１記載のカード型ボールペン。
(57)【要約】      （修正有）【課題】撮影済レントゲンフィルムの複写撮影に於いて、データ化し再現する際のムラによる誤診断を防ぐ事を可能とする医療用レントゲンフィルムの複写撮影装置を提供する。【解決手段】撮影済みのレントゲンフィルムをデンタルカメラにて複写撮影するための透過光源を白色角型ＬＥＤ発光体２を使用し、各々のＬＥＤ配置を等間隔Ｂとする。また各ＬＥＤ光源から発射される光線が拡解板に投影し、光線ムラの出ない位置Ａに拡解板を配置する。【選択図】図１
0003176884.tif 000002
【実用新案登録請求の範囲】
【請求項１】
医療機関に於ける撮影済の医療用レントゲンフィルムをデジタルカメラにて撮影しメモリーカードに収録する。
【請求項２】
メモリーカードに収録たし画像をパーソナルコンピューターにて整理、データ化し保存する。
【請求項３】
整理及びデータ化した画像を専用モニターにて通常時及び緊急時に早急に閲覧することができる。
【考案の詳細な説明】
【技術分野】
【０００１】撮影済みのレントゲンフィルムを閲覧する際、従来光源は白色蛍光灯使用のシャーカステンを使用しているが、本装置のデジタルカメラに複写撮影する場合、蛍光灯の光源の特性上透過光源で撮影する際、同期的光源ムラが発生し、上記方法では透過撮影の光源には不適当と判明された。
【考案が解決するための手段】
【０００２】撮影済みのレントゲンフィルムを複写するため透過光源を白色角型発光ＬＥＤを使用することによって光源ムラを解消する事が出来た。
又、光源とレントゲンフィルムの距離を（図１−Ａ・Ｂ）設定しその位置にアクリル乳白色拡散板を設置し、その上にレントゲンフィルムを設置する。以上の事により複写撮影による濃度ムラを解消し、正確な閲覧をすることを可能にした。
【図面の簡単な説明】
【０００３】
【図１】光源ＬＥＤの構成図
【図２】装置の全体図
【符号の説明】
【０００４】１．デジタルカメラ
２．反射鏡
３．撮影済みレントゲンフィルム
４．遠隔操作用シャッター
５．遮光板
６．光源ボックス本体
７．拡散板
８．光源台
９．電源スイッチ
１０．電源コード
１１．ＬＥＤ発光体
１２．ＡＣアダプター
１３．（Ａ）光源ＬＥＤより拡散板までの距離
１４．（Ｂ）光源ＬＥＤとＬＥＤとの距離
【図１】
0003176884.tif 000003
【図２】
0003176884.tif 000004
【手続補正書】
【提出日】平成24年4月13日(2012.4.13)
【手続補正１】
【補正対象書類名】実用新案登録請求の範囲
【補正対象項目名】全文
【補正方法】変更
【補正の内容】
【実用新案登録請求の範囲】
【請求項１】
本体ボックスの内部底部に透過光源を配しその上部に拡解板を置き、その上に撮影済み医療用レントゲンフィルムを透過させ、その上部よりデジタルカメラを設定し撮影を行う医療用レントゲンフィルム複写撮影装置。
【請求項２】
本体ボックス内の発行体の光源は白色角型ＬＥＤ発光体とした請求項１に記載された医療用レントゲンフィルム複写撮影装置
【請求項３】
拡散板上に撮影済医療用レントゲンフィルムを配置し撮影する各フィルムサイズに応じた専用光線カットフィルターをもうけることにより、デジタルカメラの撮影距離を変えることなく撮影する。請求項１に記載された医療用レントゲンフィルム複写撮影装置。
【手続補正２】
【補正対象書類名】明細書
【補正対象項目名】全文
【補正方法】変更
【補正の内容】
【考案の詳細な説明】
【技術分野】
【０００１】医療機関に於いて患者の過去の医療用レントゲン写真が診断の必要になった場合、整理及びデータ化し専用モニターにて通常及び緊急時に閲覧する事が出来る撮影済医療用レントゲンフィルム複写装置に関する。
【考案が解決しようとする課題】
【０００２】本考案で患者の撮影済医療用レントゲンフィルムをデータ化する際にいかに正確に再現するかが最大の課題となる。
【課題を解決しようとする手段】
【０００３】本考案は前記課題の解決を図ったものである。撮影済みのレントゲンフィルムをデンタルカメラにて複写撮影するための透過光源を白色角型ＬＥＤ発光体（２）を使用し、各々のＬＥＤ配置を等間隔（Ｂ）とする。
また各ＬＥＤ光源から発射される光線が拡解板に投影し光線ムラの出ない位置に（Ａ）に拡解板を配置する。
拡解板の上に撮影済レントゲンフィルムを置きデジタルカメラにて複写撮影する。
【考案の効果】
【０００４】撮影済レントゲンフィルムの複写撮影に於いてデータ化し再現する際のムラによる誤診断を防ぐ事を可能とした。
【考案を実現するための最良の形態】
【０００５】撮影済レントゲンフィルムを複写する際、各フィルムサイズに応じた光線カットフィルターを設け、レントゲンフィルムを撮影することによりデジタルカメラの位置を変えることなく作業効率を上げることができる。
【図面の簡単な説明】
【０００６】
【図１】本考案の医療用レントゲンフィルム複写撮影装置のＬＥＤ発光体と白乳色アクリル拡散板の配置図である。
【図２】本考案の医療用レントゲンフィルム複写撮影装置のＬＥＤ発光体の配置図である。
【図３】本考案の医療用レントゲンフィルム複写撮影装置の発光体・拡散板・光線カットフィルター・デジタルカメラ撮影済レントゲンフィルムの一部概略斜視図である。
【図４】本考案の医療用レントゲンフィルム複写撮影装置の全体斜視図である。
【符号の説明】
【０００７】１）      デジタルカメラ
２）      角型白色ＬＥＤ発光体
３）      乳白色アクリル拡散板
４）      各サイズ専用光線カットフィルター
５）      医療用撮影済レントゲンフィルム
６）      遠隔操作用シャッター
７）      電源スイッチ
８）      電源コード
９）      反射ミラー
１０）    本体
１１）    ＡＣアダプター
【手続補正３】
【補正対象書類名】図面
【補正対象項目名】全図
【補正方法】変更
【補正の内容】
【図１】
0003176884.tif 000005
【図２】
0003176884.tif 000006
【図３】
0003176884.tif 000007
【図４】
0003176884.tif 000008
(57)【要約】      （修正有）【課題】自然環境を破壊せず、土に浄化する材料を用いた環境に良い仏像骨壺を提供する。【解決手段】自然環境を破壊せず、土に浄化する材料として木材鋸くずと自然にやさしい米のりと混ぜ練り成型して仏像骨壷をつくり、直接土に埋葬しても土に浄化しやすいので自然環境に対する課題を解決した。仏像骨壺は、仏像上半身のデザインに成型した上蓋１と筒状の壺本体２で構成する。【選択図】図２
0003176881.tif 000002
【実用新案登録請求の範囲】
【請求項１】
木鋸くずと米のりを混ぜ合わせ成型した仏像骨壷。
【考案の詳細な説明】
【技術分野】
【０００１】  本考案は木鋸くずと米のりを混ぜ合わせ成型した環境に良い仏像骨壷に関する。
【背景技術】
【０００２】  従来の骨壷はほとんど陶器製の焼き物で保存性は良いが将来の埋葬には都市化の増加や各家族化などによる墓地不足と自然環境の問題になると思われます。
【考案の開示】
【考案が解決しようとする課題】
【０００３】  将来全国的に都市化や各家族化が増え墓地の確保が困難になるそのため死して土に帰るを基本に考えた場合、現在の陶器骨壷ではだめでいかに土と浄化し自然環境に良い材料の骨壷を考案するかが課題である。。
【課題を解決するための手段】
【０００４】  本考案では土に自然環境を破壊せず浄化する材料として木材鋸くずの自然材を使用し固めるために自然環境に良い米のりと混ぜ合わせ粘土状態になるまで練り仏像壷型に成型し仏像骨壷を製作し課題を解決する。
【考案の効果】
【０００５】  本考案は全国的都市化や各家族化による墓地不足に対し埋葬場所が少なく自然環境にもよく地面に居士の思い出の樹木を植え居士に対しては将来骨は土に帰り今までの墓地よりも明るいイメージに変え遺族に精神的安らぎを与える効果がある。
【考案を実施するための最良の形態】
【実施例】
【０００６】  本考案を図面にそって説明します図１は仏像骨壷外観図で材質は土に浄化しやすい自然環境にやさしい木鋸くずを利用しています、１は仏像上半身をデザインした骨壷のふた２は骨を入れる筒状本体３は戒名札をはめ込む凹み部からなる仏像骨壷。【０００７】    図２は断面図で１は壷ふた断面２は本体断面３は戒名札はめ込みくぼみ部で構成されています。【０００８】    木鋸くずを材料として作られた骨壷は土に直接埋めることにより骨と壷は自然環境に関係なく将来自然に土に浄化され居士の思い出のため地面に植えた樹木が残り遺族も精神的にも安心できまた各家族化による墓地不足の解決に効果がある。
【図面の簡単な説明】
【０００９】
【図１】  仏像骨壷外観図
【図２】  仏像骨壷断面図
【符号の説明】
【００１０】  １  仏像上半身デザインふた
２  壷本体
３  戒名札はめ込み凹み面部
【図１】
0003176881.tif 000003
【図２】
0003176881.tif 000004
【手続補正書】
【提出日】平成24年4月19日(2012.4.19)
【手続補正１】
【補正対象書類名】実用新案登録請求の範囲
【補正対象項目名】全文
【補正方法】変更
【補正の内容】
【実用新案登録請求の範囲】
【請求項１】
木鋸ぐずと米のりを混ぜ合わせ仏像上半身のデザインに成型した上蓋と筒状の壺本体で構成された仏像骨壺。
(57)【要約】      （修正有）【課題】太陽光で発電された電力をダイレクトに充電し、蓄電された電力を許容範囲の直流電圧で使用し、ＬＥＤを発光させる照明装置を提供する。【解決手段】ニーズに合わせた照度のＬＥＤパネルと太陽光パネル、必要な容量による蓄電池からなり、１枚のＬＥＤパネルに必要な数のＬＥＤを組み込み、直流のままで照明器具を発光させる。【選択図】図１
0003176883.tif 000002
【実用新案登録請求の範囲】
【請求項１】
１枚のパネルにＬＥＤを組み込み、直流のままで照明器具を発光出来る一般家庭向けの装置。
【請求項２】
接続はスナップ方式がの望ましく、ショートによる事故が起きないようプラス側の送り端子は感電防止ため接点を包み込み、受け端子は露出でよく、送り端子にスナップできる構造とする。尚マイナス端子はプラス端子の逆構造とする。
【請求項３】
一般家庭にも交流配線と同時に、直流配線を付設し、太陽光を安価で利用し、節電に寄与する。尚、配線は安全基準に乗っ取り、専門家が施工することとする。
【考案の詳細な説明】
【考案の詳細な説明】
【考案が解決しようとする課題】
【０００１】  太陽光（ソーラー）発電装置は世界的にも節電に貢献し、なおかつ地球温暖化防止にも大きく役に立つ設備であります、が、しかしこの設備を導入できる消費者はほんの一握りにすぎません。
あまりにも高額すぎます。
【課題を解決するための手段】
【０００２】  ニーズに合わせた照度のＬＥＤ照明パネルと太陽光パネル、必要な容量の１２Ｖ、または２４Ｖ蓄電池による照明設備との組合せ。。
【考案の効果】
【０００３】  大規模なソーラ発電は、ソーラーで得られた電気を１００Ｖ強に変圧し、さらに交流に変換をして消費、あるいは売電をするために大変高額で複雑な装置が必要です。  本考案はソーラーで発電された電気を蓄電池に充電し、その電力をダイレクトに利用して、変圧、変換による電力の無駄な消費を省くための手軽な方法であります。
【図１】
0003176883.tif 000003
【図２】
0003176883.tif 000004
【手続補正書】
【提出日】平成24年4月16日(2012.4.16)
【手続補正１】
【補正対象書類名】実用新案登録請求の範囲
【補正対象項目名】全文
【補正方法】変更
【補正の内容】
【実用新案登録請求の範囲】
【請求項１】
１枚のパネルにＬＥＤを組み込み、直流のままで発光できる「照明装置。」
【手続補正２】
【補正対象書類名】明細書
【補正対象項目名】全文
【補正方法】変更
【補正の内容】
【考案の詳細な説明】
【考案が解決しようとする課題】
【０００１】  １枚のパネルに必要な数のＬＥＤを組み込み、直流のままで照明器具を発光させる、照度はＬＥＤの数あるいは品質で決定する、交流の照明器具は金物、トランス等多くの部品が必要で高額になるが、本考案は軽量で薄型のため手軽に取り付けができる「照明装置。」である
【０００２】  一般家庭にも交流配線と区別した直流配線を付設し、太陽光で発電された電力をダイレクトに利用して無駄な装置を省略し、節電に寄与する、なを配線は、安全基準に合致すること。
【図面の簡単な説明】
【図１】１）太陽光パネル  ２）逆流防式止機  ３）蓄電池  ４）ＬＥＤパネル  （照度はＬＥＤの増減による、）
【手続補正３】
【補正対象書類名】図面
【補正対象項目名】全図
【補正方法】変更
【補正の内容】
【図１】
0003176883.tif 000005